(57)【要約】      （修正有）【課題】機器の損傷または誤動作を起こさない電力供給遮断回路を備えたマグネチックコネクタモジュールを提供する。【解決手段】同心円状のパターン電極１１０とパターン電極部マグネット１３０を含むパターン電極部モジュール１００と、複数のピン端子２１１〜２１５と、ピン端子部マグネットとを含むピン端子部モジュール２００と、からなるマグネチックコネクタモジュールであって、前記パターン電極部マグネット１３０と前記ピン端子部マグネットが磁気的に結合することで前記パターン電極１１０と前記複数のピン端子２１１〜２１５を接触させ、前記複数のピン端子２１１〜２１５に含まれる接地電力端子ＧＮＤと信号端子Ｓが電気的に短絡状態のときにのみ電力供給を許容する電力供給遮断回路２６０がピン端子部モジュール２００に含まれる。【選択図】図１
2014160637.tif 000002
【特許請求の範囲】
【請求項１】
パターン電極部モジュールと、ピン端子部モジュールと、からなるマグネチックコネクタモジュールであって、
前記パターン電極部モジュールは、同心円状のパターン電極と、パターン電極部マグネットと、パターン電極部コネクタと、を含み、
前記ピン端子部モジュールは、複数のピン端子と、ピン端子部マグネットと、ピン端子部コネクタと、を含み、
前記パターン電極部マグネットと前記ピン端子部マグネットが磁気的に結合することで前記パターン電極と前記複数のピン端子を接触させ、
前記複数のピン端子は、電力端子ＶＣＣと、接地電力端子ＧＮＤと、信号端子Ｓと、を含み、
前記パターン電極のうち接地電力端子ＧＮＤに接触する電極と、信号端子Ｓに接触する電極と、は電気的に短絡されており、
接地電力端子ＧＮＤと信号端子Ｓが電気的に短絡状態のときにのみ電力端子ＶＣＣに電力供給を許容する電力供給遮断回路がピン端子部モジュールに含まれることを特徴とする、電力供給遮断回路を備えたマグネチックコネクタモジュール。
【請求項２】
前記複数のピン端子は、データ端子Ｄ＋と、データ端子Ｄ−と、をさらに含むことを特徴とする、請求項１に記載の電力供給遮断回路を備えたマグネチックコネクタモジュール。
【請求項３】
前記ピン端子部モジュールは、データ端子Ｄ＋またはデータ端子Ｄ−の電圧が所定基準電圧以上の場合に、データ端子Ｄ＋およびデータ端子Ｄ−へのデータ出力を中断させる回路をさらに含むことを特徴とする、請求項２に記載の電力供給遮断回路を備えたマグネチックコネクタモジュール。
【請求項４】
前記ピン端子部モジュールは、データ端子Ｄ＋の電圧が所定電圧以上の場合に、データ端子Ｄ＋へのデータ出力を中断させ、データ端子Ｄ−の電圧が所定基準電圧以上の場合に、データ端子Ｄ−へのデータ出力を中断させる回路をさらに含むことを特徴とする、請求項２に記載の電力供給遮断回路を備えたマグネチックコネクタモジュール。
【請求項５】
前記パターン電極のうち接地電力端子ＧＮＤに接触する電極と、信号端子Ｓに接触する電極と、は一体に形成され、リング状であることを特徴とする、請求項１に記載の電力供給遮断回路を備えたマグネチックコネクタモジュール。
【請求項６】
前記ピン端子は、ピン端子部モジュールに内蔵された板ばねの一部が孔を介して突出した形態であることを特徴とする、請求項１に記載の電力供給遮断回路を備えたマグネチックコネクタモジュール。
【請求項７】
前記ピン端子は、ピン端子部モジュールに内蔵された線形ばねの一部が孔を介して突出した形態であることを特徴とする、請求項１に記載の電力供給遮断回路を備えたマグネチックコネクタモジュール。
【請求項８】
前記パターン電極部マグネットは前記パターン電極の内側に内蔵され、前記ピン端子部マグネットは前記ピン端子の内側に内蔵されることを特徴とする、請求項１に記載の電力供給遮断回路を備えたマグネチックコネクタモジュール。
【請求項９】
前記パターン電極部マグネットは、前記パターン電極の周辺に前記パターン電極の中心から同一距離に同一角度の間隔で配置され、前記ピン端子部マグネットは、前記ピン端子の周辺に前記ピン端子の中心から同一距離に同一角度の間隔で配置されることを特徴とする、請求項１に記載の電力供給遮断回路を備えたマグネチックコネクタモジュール。
【請求項１０】
前記パターン電極部マグネットは、前記パターン電極の内側に内蔵される第１マグネットと、前記パターン電極の周辺に前記パターン電極の中心から同一距離に同一角度の間隔で配置される第３マグネットと、を含み、
前記ピン端子部マグネットは、前記ピン端子の内側に内蔵される第２マグネットと、前記ピン端子の周辺に前記ピン端子の中心から同一距離に同一角度の間隔で配置される第４マグネットと、を含み、
第１マグネットは第２マグネットと磁気的に結合し、第３マグネットは第４マグネットと磁気的に結合することで前記パターン電極と前記複数のピン端子を接触させることを特徴とする、請求項１に記載の電力供給遮断回路を備えたマグネチックコネクタモジュール。
【請求項１１】
前記ピン端子部コネクタはＵＳＢコネクタであることを特徴とする、請求項１に記載の電力供給遮断回路を備えたマグネチックコネクタモジュール。
【請求項１２】
パターン電極部モジュールと、ピン端子部モジュールと、からなるマグネチックコネクタモジュールであって、
前記パターン電極部モジュールは、同心円状のパターン電極と、パターン電極部マグネットと、パターン電極部コネクタと、を含み、
前記ピン端子部モジュールは、複数のピン端子と、ピン端子部マグネットと、ピン端子部コネクタと、を含み、
前記パターン電極部マグネットと前記ピン端子部マグネットが磁気的に結合することで前記パターン電極と前記複数のピン端子を接触させ、
前記複数のピン端子は、電力端子ＶＣＣと、接地電力端子ＧＮＤと、信号端子Ｓと、を含み、
接地電力端子ＧＮＤと信号端子Ｓが対応する電極と正確に接触するときにのみ電力端子ＶＣＣに電力供給を許容する電力供給遮断回路がピン端子部モジュールに含まれることを特徴とする、電力供給遮断回路を備えたマグネチックコネクタモジュール。
【発明の詳細な説明】
【技術分野】
【０００１】
本発明は、電力供給遮断回路を備えたマグネチックコネクタモジュールに関し、より詳細には、電子機器に電力を供給するマグネチックコネクタモジュールにおいて、パターン電極部の電極とピン端子部のピン端子が正確に接触したときにのみ電力を供給する電力供給遮断回路を備えたマグネチックコネクタモジュールに関する。
【背景技術】
【０００２】
通常、各種の電気／電子機器（以下、「電子機器」とする）に直流電源を供給する際に雌コネクタと雄コネクタを用いる方式を主に利用しているが、このような方式は、雌コネクタと雄コネクタの連結過程でコネクタの損傷をもたらす恐れがあり、機器に設けられた雌コネクタを探し出して雄コネクタを垂直に抜き差しする必要があるなど、様々な不都合がある。
【０００３】
このような不都合を改善するためにマグネチックコネクタを利用する技術が従来開発されて、日本公開特許公報Ｓ６３−２７４０７０号（公開日：１９８８．１１．１１．発明の名称：コネクタ装置）、米国公開特許第２０１０−００８０５６３号（公開日：２０１０．０４．０１．発明の名称：ＭＡＧＮＥＴＩＣ  ＣＯＮＮＥＣＴＯＲ  ＷＩＴＨ  ＯＰＴＩＣＡＬ  ＳＩＧＮＡＬ  ＰＡＴＨ）、米国公開特許第２０１２−００２１６１９号（公開日：２０１２．０１．２６．発明の名称：ＰＲＯＧＲＡＭＭＡＢＬＥ  ＭＡＧＮＥＴＩＣ  ＣＯＮＮＥＣＴＯＲＳ）、韓国登録特許第１１１６１５９号（登録日：２０１２．０２．０７．発明の名称：端子連結モジュールおよびこれを備えた端子連結装置）などに開示されている。
【０００４】
しかし、このような充電装置は、電子機器を任意の角度で自由に着脱および回転することができないという問題点がある。このような問題点を解決するために、韓国登録特許第１２０４５１０号（登録日：２０１２．１１．１９．発明の名称：モバイル端末の充電装置）には、電子機器を任意の角度で自由に着脱および回転できるようにするためのマグネチックコネクタを含む充電装置を開示している。
【０００５】
しかし、前記公開されたマグネチックコネクタは、マグネチックコネクタを連結する際に、連結が安定化する前に瞬間的に連結が誤った状態が発生することがあり、機器の損傷または誤動作を起こすという問題点がある。
【０００６】
既存の充電装置にも過電流が流れる際に電流を制限する回路は設けられているが、マグネチックコネクタを連結する際に、連結が安定化する前に瞬間的に連結が誤った状態が発生する場合には効果がない。
【発明の概要】
【発明が解決しようとする課題】
【０００７】
本発明は、前記のような問題点を解決するために導き出されたものであり、本発明で解決しようとする課題は、マグネチックコネクタを連結する際に、連結が安定化する前に瞬間的に連結が誤った状態が発生してもその瞬間には電力の供給が制限されて機器の損傷または誤動作を起こさないマグネチックコネクタモジュールを提供することである。
【課題を解決するための手段】
【０００８】
前記のような課題を解決しようとする本発明に係る電力供給遮断回路を備えたマグネチックコネクタモジュールは、パターン電極部モジュールと、ピン端子部モジュールと、からなるマグネチックコネクタモジュールであって、前記パターン電極部モジュールは、同心円状のパターン電極と、パターン電極部マグネットと、パターン電極部コネクタと、を含み、前記ピン端子部モジュールは、複数のピン端子と、ピン端子部マグネットと、ピン端子部コネクタと、を含み、前記パターン電極部マグネットと前記ピン端子部マグネットが磁気的に結合することで前記パターン電極と前記複数のピン端子を接触させ、前記複数のピン端子は、電力端子ＶＣＣと、接地電力端子ＧＮＤと、信号端子Ｓと、を含み、前記パターン電極のうち接地電力端子ＧＮＤに接触する電極と、信号端子Ｓに接触する電極と、は電気的に短絡されており、接地電力端子ＧＮＤと信号端子Ｓが電気的に短絡状態のときにのみ電力端子ＶＣＣに電力供給を許容する電力供給遮断回路がピン端子部モジュールに含まれることを特徴とする。
【０００９】
前記複数のピン端子は、データ端子Ｄ＋と、データ端子Ｄ−と、をさらに含むことができる。
【００１０】
前記ピン端子部モジュールは、データ端子Ｄ＋またはデータ端子Ｄ−の電圧が所定基準電圧以上の場合に、データ端子Ｄ＋およびデータ端子Ｄ−へのデータ出力を中断させる回路をさらに含むことができる。
【００１１】
前記ピン端子部モジュールは、データ端子Ｄ＋の電圧が所定電圧以上の場合に、データ端子Ｄ＋へのデータ出力を中断させ、データ端子Ｄ−の電圧が所定基準電圧以上の場合に、データ端子Ｄ−へのデータ出力を中断させる回路をさらに含むことができる。
【００１２】
前記パターン電極のうち接地電力端子ＧＮＤに接触する電極と、信号端子Ｓに接触する電極と、は一体に形成され、リング状であることができる。
【００１３】
前記ピン端子は、ピン端子部モジュールに内蔵された板ばねの一部が孔を介して突出した形態であることができる。
【００１４】
前記ピン端子は、ピン端子部モジュールに内蔵された線形ばねの一部が孔を介して突出した形態であることができる。
【００１５】
前記パターン電極部マグネットは前記パターン電極の内側に内蔵され、前記ピン端子部マグネットは前記ピン端子の内側に内蔵されることができる。
【００１６】
前記パターン電極部マグネットは、前記パターン電極の周辺に前記パターン電極の中心から同一距離に同一角度の間隔で配置され、前記ピン端子部マグネットは、前記ピン端子の周辺に前記ピン端子の中心から同一距離に同一角度の間隔で配置されることができる。
【００１７】
前記パターン電極部マグネットは、前記パターン電極の内側に内蔵される第１マグネットと、前記パターン電極の周辺に前記パターン電極の中心から同一距離に同一角度の間隔で配置される第３マグネットと、を含み、前記ピン端子部マグネットは、前記ピン端子の内側に内蔵される第２マグネットと、前記ピン端子の周辺に前記ピン端子の中心から同一距離に同一角度の間隔で配置される第４マグネットと、を含み、第１マグネットは第２マグネットと磁気的に結合し、第３マグネットは第４マグネットと磁気的に結合することで前記パターン電極と前記複数のピン端子を接触させることができる。
【００１８】
前記ピン端子部コネクタはＵＳＢコネクタであることができる。
【００１９】
前記のような課題を解決しようとする本発明に係る電力供給遮断回路を備えたマグネチックコネクタモジュールは、パターン電極部モジュールと、ピン端子部モジュールと、からなるマグネチックコネクタモジュールであって、前記パターン電極部モジュールは、同心円状のパターン電極と、パターン電極部マグネットと、パターン電極部コネクタと、を含み、前記ピン端子部モジュールは、複数のピン端子と、ピン端子部マグネットと、ピン端子部コネクタと、を含み、前記パターン電極部マグネットと前記ピン端子部マグネットが磁気的に結合することで前記パターン電極と前記複数のピン端子を接触させ、前記複数のピン端子は、電力端子ＶＣＣと、接地電力端子ＧＮＤと、信号端子Ｓと、を含み、接地電力端子ＧＮＤと信号端子Ｓが対応する電極と正確に接触するときにのみ電力端子ＶＣＣに電力供給を許容する電力供給遮断回路がピン端子部モジュールに含まれることができる。
【発明の効果】
【００２０】
本発明に係る電力供給遮断回路を備えたマグネチックコネクタモジュールによれば、マグネチックコネクタを連結する際に、連結が安定化する前に瞬間的に連結が誤った状態が発生してもその瞬間には電力の供給が制限されてデータラインの連結が遮断され、機器の損傷または誤動作を起こさない。
【図面の簡単な説明】
【００２１】
【図１】本発明に係るマグネチックコネクタモジュールを含む電子機器の斜視図である。
【図２】本発明に係るパターン電極部モジュールの平面図である。
【図３】本発明に係るパターン電極部モジュールの底面図である。
【図４】本発明に係るピン端子部モジュールの平面図である。
【図５】本発明に係る板ばねの側面図である。
【図６】本発明に係るマグネチックコネクタモジュールの内部回路図である。
【図７】本発明に係る電力供給遮断回路の具体的な回路図である。
【図８】本発明に係るマグネチックコネクタモジュールの他の実施例の斜視図である。
【発明を実施するための形態】
【００２２】
以下、添付の図面を参照して、本発明に係る電力供給遮断回路を備えたマグネチックコネクタモジュールについてより詳細に説明する。
【００２３】
図１は本発明に係るマグネチックコネクタモジュールを含む電子機器の斜視図であり、図２は本発明に係るパターン電極部モジュールの平面図であり、図３は本発明に係るパターン電極部モジュールの底面図であり、図４は本発明に係るピン端子部モジュールの平面図である。
【００２４】
電子機器Ａには同心円状のパターン電極１１０を含むパターン電極部モジュール１００が設けられ、電子機器Ａは充電装置（図示せず）に連結されるピン端子部モジュール２００から電力の供給を受ける。
【００２５】
マグネチックコネクタモジュールは、パターン電極部モジュール１００と、ピン端子部モジュール２００と、からなる。
【００２６】
パターン電極部モジュール１００は、同心円状の電極１１１〜１１４が形成されたパターン電極１１０と、パターン電極部本体１２０と、パターン電極部マグネット１３０と、導線が形成されたＦＰＣＢ１４０と、パターン電極部コネクタ１５０と、を含む。
【００２７】
パターン電極部本体１２０の上面にはパターン電極１１０が設けられ、パターン電極部本体１２０の底面にはパターン電極部マグネット１３０が設けられる。
【００２８】
パターン電極１１０の電極は、ＦＰＣＢ１４０上の導線によってパターン電極部コネクタ１５０に連結され、パターン電極部コネクタ１５０は、電子機器の内部のコネクタ（図示せず）に接続することができる。
【００２９】
本実施例では、パターン電極部モジュール１００がＦＰＣＢ１４０を含んでいるが、パターン電極部コネクタ１５０がパターン電極部本体１２０に設けられてもよく、ＦＰＣＢ１４０は省略してもよい。
【００３０】
パターン電極部本体１２０には多数の固定孔１２１〜１２４が形成されており、その固定孔１２１〜１２４にねじを挿入する方式でパターン電極部本体１２０を電子機器Ａに固定することができる。パターン電極部本体１２０は他の方式によって電子機器Ａに固定してもよく、多数の固定孔１２１〜１２４は省略してもよい。
【００３１】
ピン端子部モジュール２００は、多数のピン端子２１１〜２１５が形成されたピン端子部２１０と、ピン端子本体部２２０と、ピン端子ケーブル２４０と、ピン端子部コネクタ２５０と、を含む。
【００３２】
ピン端子本体部２２０の一面にはピン端子部２１０が形成され、ピン端子部２１０は複数のピン端子２１１〜２１５を含む。また、ピン端子部２１０の内側にはピン端子部マグネット（図示せず）が設けられる。
【００３３】
ピン端子部２１０において、複数のピン端子２１１〜２１５は、ピン端子ケーブル２４０を介してピン端子部コネクタ２５０に連結され、ピン端子部コネクタ２５０は、充電装置のコネクタ（図示せず）に連結されることができる。
【００３４】
ピン端子部コネクタ２５０はＵＳＢコネクタからなっていてもよく、ピン端子部コネクタ２５０がＵＳＢコネクタからなると、ＵＳＢコネクタが設けられた様々な装置に連結することができるという利点がある。
【００３５】
ピン端子部コネクタ２５０は、ＵＳＢコネクタ以外の様々なコネクタに実現することができる。
【００３６】
パターン電極１１０とピン端子部２１０との距離が近くなれば、パターン電極部マグネット１３０とピン端子部マグネット（図示せず）との間には引力が作用することになり、その力によってパターン電極１１０の電極１１１〜１１４がピン端子部２１０のピン端子２１１〜２１５に接触する。より具体的に説明すると、電極１１１はピン端子２１１に接触し、電極１１２はピン端子２１２に接触し、電極１１３はピン端子２１３に接触し、電極１１４はピン端子２１４およびピン端子２１５に接触する。ピン端子部２１０は、ピン端子部２１０の表面に形成された５個の孔にそれぞれのピン端子２１１〜２１５が露出した形態となっている。
【００３７】
それぞれの電極がそれぞれのピン端子に接触して電気的に連結されるにあたり、ピン端子は、押圧力により押し込まれ、押圧力がなくなると弾性によって跳ね返る弾性構造で製造することが好ましい。そのような弾性構造であればすべての電極が対応するピン端子に接触することができるためである。
【００３８】
弾性構造で製造するために円筒状のピン端子とコイルばねを用いる構造を利用すると、ピン端子部が厚くなって装置の小型化に不利である。
【００３９】
そのため、ピン端子は板ばねなどで実現することが好ましい。
【００４０】
図５は本発明に係る板ばねの側面図である。薄くて長い長方形の材料が図５に示したような側面図の形状を有するように折り曲げられて突出した中央部分がピン端子部２１０の孔に露出すると、ピン端子部が非常に薄い弾性構造を実現することができる。
【００４１】
板ばねの側面図を図５のように保持したまま幅を極めて狭くすれば、そのばねは線形ばねになる。すなわち、板ばねは、図５に示したような側面図の形状に金属線を折り曲げることで製造される。
【００４２】
弾性構造を実現するにあたり線形ばねを利用すれば、ピン端子部の軽量化および小型化に有利である。
【００４３】
パターン電極部マグネット１３０とピン端子部マグネット（図示せず）との間に引力が作用するためには対向するマグネットの極性が互いに反対の極性でなければならない。
【００４４】
図６は本発明に係るマグネチックコネクタモジュールの内部回路図である。ピン端子２１１とピン端子２１４は、電力を供給するための電力端子ＶＣＣと電力端子ＧＮＤ（接地電極）に該当する。ピン端子２１２とピン端子２１３は、データを伝送するためのデータ端子Ｄ＋とデータ端子Ｄ−である。ピン端子２１５は電気的な短絡（ショート）を検出するための信号端子Ｓである。
【００４５】
パターン電極部モジュール１００とピン端子部モジュール２００が結合する際に、ピン端子２１１〜２１４は、それぞれパターン電極１１１〜１１４に接触し、ピン端子２１５はパターン電極１１４に接触する。
【００４６】
したがって、パターン電極部モジュール１００とピン端子部モジュール２００が安定的に結合すると、ピン端子２１４とピン端子２１５は短絡（ショート）される。
【００４７】
ピン端子２１４とピン端子２１５が短絡されると、短絡検出回路２６０がこれを検出してスイッチ２６５をＯＮ状態に変える。スイッチ２６５がＯＮ状態となると端子２１１に電力を供給することができる。
【００４８】
万が一、ピン端子２１４とピン端子２１５がパターン電極１１４に接触しなくなると、スイッチ２６５がＯＦＦ状態となり、端子２１１への電力供給が中断される。
【００４９】
短絡検出回路２６０とスイッチ２６５は電力供給遮断回路を構成する。電力供給遮断回路は様々な方法によって実現されることができ、そのうち一つの方法は、図７に示した回路によっても実現されることができる。
【００５０】
図７は本発明に係る電力供給遮断回路の具体的な回路図である。
【００５１】
ピン端子２１４とピン端子２１５が短絡されていない状態ではピン端子２１５が電力供給線Ｖ＋と同じ電圧になるためハイ（ｈｉｇｈ）状態となる。これにより、Ｑ１（ＰチャネルＭＯＳ−ＦＥＴ）はＯＦＦ状態となり、端子２１１には電力が供給されない。
【００５２】
しかし、ピン端子２１４とピン端子２１５が短絡されると、ピン端子２１５はロー（ｌｏｗ）状態となる。これにより、Ｑ１はＯＮ状態となり、ピン端子２１１に電力供給線Ｖ＋の電力が供給される。
【００５３】
電力が供給されている状態でピン端子２１４とピン端子２１５の連結が遮断されると、ピン端子２１５は電力供給線Ｖ＋と同じ電圧になるためピン端子２１１には電力が供給されない。
【００５４】
短絡検出回路２６０とスイッチ２６５により、ピン端子２１４とピン端子２１５がパターン電極１１４に接触すると、電力供給が開始する。したがって、パターン電極１１１〜１１４とピン端子２１１〜２１５が正確な位置に接触した後に電力供給が開始するため、瞬間的に連結が誤った状態が発生してもその瞬間には電力供給が制限されて機器の損傷または誤動作を起こさない。
【００５５】
電力供給遮断回路は、ピン端子本体部２２０に設けられてもよく、ピン端子部コネクタ２５０に設けられてもよい。
【００５６】
ピン端子２１１の高い電圧がピン端子２１２とピン端子２１３に流れ込む場合が時々あるが、この際には誤動作および損傷を防止するためにピン端子２１２とピン端子２１３へのデータライン（Ｄａｔａ  ｌｉｎｅ；信号線）の連結を中断させる必要がある。より具体的に説明すると、ピン端子２１２とピン端子２１３の電圧は、ＵＳＢ通信の場合には３．３Ｖを超えないが、基準電圧（例えば、３．７）を超える場合にはデータラインの連結を分離して、異常電圧が機器のＵＳＢ通信のためのデジタル回路に伝達されることを防止する。ＵＳＢ通信以外のデータ通信の場合には電圧の範囲が変わるため、基準電圧が変わり得る。
【００５７】
図６の演算増幅器２７１〜２７２は、ピン端子２１２とピン端子２１３の電圧が基準電圧以上の場合にスイッチ２７５をＯＦＦさせて、ピン端子２１２とピン端子２１３へのデータ出力を中断させる。この際、端子２１２の電圧または端子２１３の電圧が基準電圧以上の場合には端子２１２と端子２１３へのデータ出力をすべてＯＦＦさせる方式で実現してもよく、端子２１２の電圧が基準電圧以上の場合には端子２１２へのデータ出力をＯＦＦさせ、端子２１３の電圧が基準電圧以上の場合には端子２１３へのデータ出力をＯＦＦさせる方式で実現してもよい。
【００５８】
演算増幅器の出力値に応じてスイッチをＯＮまたはＯＦＦさせることは、通常の知識を有する者であれば必要に応じて容易に実現することができるため、詳細な説明は省略する。また、演算増幅器は同一機能が行える比較器に代えることができる。
【００５９】
ピン端子２１２とピン端子２１３の電圧が非正常に高い場合には、ピン端子２１２とピン端子２１３にデータ出力を中断させる回路は、ピン端子本体部２２０に設けられてもよく、ピン端子部コネクタ２５０に設けられてもよい。
【００６０】
パターン電極部マグネットとピン端子部マグネットは一対に実現されることもでき複数対に実現されることもできる。
【００６１】
図８は本発明に係るマグネチックコネクタモジュールの他の実施例の斜視図である。
【００６２】
図８のマグネチックコネクタモジュールは、パターン電極部モジュール３００と、ピン端子部モジュール４００と、からなる。パターン電極部モジュール３００は、同心円状のパターン電極３１０と、パターン電極３１０の内側に設けられる第１マグネット（図示せず）と、４個の第３マグネット３６１〜３６４と、を含む。ピン端子部モジュール４００は、ピン端子部４１０と、ピン端子部４１０の内側に設けられる第２マグネット（図示せず）と、４個の第４マグネット４６１〜４６４と、を含む。
【００６３】
第１マグネットは第２マグネットと磁気的に結合し、第３マグネット３６１〜３６４は第４マグネット４６１〜４６４とそれぞれ磁気的に結合することで、パターン電極３１０の電極をピン端子部４１０のピン端子に接触するようにして電気的に連結させる。第１マグネットと第２マグネット、第３マグネット３６１〜３６４と第４マグネット４６１〜４６４が磁気的に結合するためには、対向するマグネットの極性が互いに反対の極性でなければならない。
【００６４】
この際、第３マグネット３６１〜３６４は、パターン電極の周辺に前記パターン電極の中心から同一距離に同一角度の間隔で配置され、第４マグネット４６１〜４６４は、前記ピン端子の周辺に前記ピン端子の中心から同一距離に同一角度の間隔で配置されており、パターン電極部モジュール３００を回転させてピン端子部モジュール４００に付着することができる。
【００６５】
パターン電極部モジュール１００、３００とピン端子部モジュール２００、４００を磁気力を利用して結合するためには、少なくとも１対以上のマグネットが必要である。マグネットは、図８の第３マグネット３６１〜３６４、第４マグネット４６１〜４６４のように製品の表面に露出していてもよく、第１マグネット、第２マグネットのように製品の内側に内蔵されていてもよい。
【００６６】
図１および図８において、パターン電極１１０、３１０は、４個の同心円で形成されているが、データを伝送するための電極を除き、２個の同心円で実現してもよく、他の用途のための電極を追加してより多い数の同心円で実現してもよい。すなわち、パターン電極は２個以上の同心円で実現することができる。
【００６７】
図１および図８に示した実施例では、パターン電極部モジュールが電子機器に設けられ、ピン端子部モジュールが充電装置に連結されることにより電力供給遮断回路がピン端子部モジュールに設けられるが、ピン端子部モジュールが電子機器に設けられ、パターン電極部モジュールが充電装置に連結される場合には電力供給遮断回路がパターン電極部モジュールに設けられてもよい。
【図１】
2014160637.tif 000003
【図２】
2014160637.tif 000004
【図３】
2014160637.tif 000005
【図４】
2014160637.tif 000006
【図５】
2014160637.tif 000007
【図６】
2014160637.tif 000008
【図７】
2014160637.tif 000009
【図８】
2014160637.tif 000010